(57)【要約】【課題】  肩甲骨を下制誘導させることにより、胸郭の拡張及び胸椎の伸展を促して円背姿勢を改善することが可能な円背改善衣類を提供する。【解決手段】  衣類衣類本体２よりも伸縮力の強い難伸縮性領域を後身頃に設けた姿勢改善衣類であって、着用時、該難伸縮性領域には、菱形筋の下部近傍に対応する部位に編成されて夫々内斜め下方への張力を有する領域３と、僧帽筋の下部繊維及び下後鋸筋近傍に対応する部位に編成されて下方への張力を有する領域４とが一体的に編成されてなる。【選択図】図１
2010042097.tif 000002
【特許請求の範囲】
【請求項１】
衣類本体よりも伸縮力の強い難伸縮性領域を後身頃に設けた姿勢改善衣類であって、該難伸縮性領域には、着用時、菱形筋の下部近傍に対応する部位に編成されて夫々内斜め下方への張力を有する領域と、僧帽筋の下部繊維及び下後鋸筋近傍に対応する部位に編成されて下方への張力を有する領域とが一体的に編成されてなることを特徴とする姿勢改善衣類。
【請求項２】
衣類本体よりも伸縮力の強い難伸縮性領域を後身頃に設けた姿勢改善衣類であって、該難伸縮性領域には、着用時、菱形筋の下部近傍に対応する部位に編成される領域と、僧帽筋の下部繊維及び下後鋸筋近傍に対応する部位に編成される領域とが一体的に編成され、
前記菱形筋の下部近傍に対応する部位に編成される領域は、水平面方向に並列した２つの三角形が衣類本体の縦中央軸に対して下辺の頂点のみを接する左右対称形状に編成され、夫々が内斜め下方への張力を有し、
前記僧帽筋の下部繊維及び下後鋸筋近傍に対応する部位に編成される領域は、前記両三角形の下端に接し、該下端から後身頃下部までの高さを有する逆台形状或いは逆三角形状に編成され、下方への張力を有することを特徴とする姿勢改善衣類。
【発明の詳細な説明】
【技術分野】
【０００１】
本発明は、肩甲骨を下制誘導することにより、胸郭の拡張及び胸椎の伸展を促して円背（猫背）を改善することが可能な姿勢改善衣類に関する。
【背景技術】
【０００２】
従来、円背は外見を悪化させるのみならず、腰痛や肩こり等の種々の疾患を誘発させるため、姿勢改善を目的とした矯正用下着等が市販されている。しかし、矯正用下着等は、緊縛力が強く可動性に乏しいので、日常的に長時間使用する場合やスポーツ等で身体を動かす場面での使用には適していない。そんな中、近年ではテーピング理論等を応用し、筋肉や関節の運動をサポートすることで円背の矯正を図るインナーウェアやスポーツウェアが提供されている。
【０００３】
例えば、アンダーシャツ本体中の前身頃の肩線、袖ぐり及び脇部と、前記前身頃の肩線及び脇部とで連結された後身頃上部とに、緊締部を形成したことと特徴とするアンダーシャツが提供されている（特許文献１）。
【０００４】
また、上半身の姿勢を矯正する衣料として、他の部位より緊締力の強い帯状の張力部が、後面上部に略平行左右方向から前面上部の袖ぐりに沿ってカーブして連結され、また後面上部の中央部に前記二本の張力部を結ぶ張力部が構成されてなる姿勢矯正衣料が提供されている（特許文献２）。
【特許文献１】特開２００５−２４８３９１号公報
【特許文献２】特開２００６−３２０６４０号公報
【発明の開示】
【発明が解決しようとする課題】
【０００５】
ここで、円背姿勢について簡潔に説明する。円背とは、肩峰が前方変位して背中が丸くなる姿勢を言う。円背は、背中の抗重力筋の弱体化を主原因として肩甲骨が外回転し、肩峰が前方変位することによって引き起こされてしまう。なお、ここで抗重力筋とは、菱形筋、僧帽筋及び下後鋸筋のことを言う。また、胸椎が適正位置よりも極端に後弯し、胸郭を体前方へと下降及び狭めてしまう。よって、外見上背中が丸く胸が落込んで頭部や肩部が前方へと位置するため、頭部の荷重が僧帽筋上部への過剰な負荷となって肩こりが発生し、また、胴部の荷重が腰部への負担となって腰痛が発生する。
【０００６】
特許文献１に記載のアンダーウェア及び特許文献２に記載の姿勢矯正衣料では、円背の原因となる肩甲骨の外回転、上腕骨頭及び鎖骨の体前方への移動、胸椎の極端な後弯を矯正すべく、身頃上部に構成された襷掛け状の緊締部（張力部）が強制的に肩峰を後方誘導した結果、着用者の肩甲骨を水平面方向に内回転させ、強引に上腕骨頭及び鎖骨を後方へと牽引して胸郭の拡張及び胸椎の伸展を促して胸部を反らせている。よって、外見上は円背を矯正したかに見える。
【０００７】
しかしながら、上記外的緊締力による強引な上腕骨頭２２及び鎖骨２３の後方牽引並びに肩甲骨２１の水平面方向への内回転は、肩甲部における適正な骨格の機能的連鎖運動に基づくものではない（図７（ａ）（ｂ）参照）。すなわち、強制的に肩峰を後方誘導すると肩甲骨２１が水平面方向に内回転してしまうため、上腕骨頭２２及び肩甲骨２１の肩関節に負荷が掛かって肩痛を誘発させ、また、胸骨２４の前方挙上によって強制的に胸部を反らせた状態となり、腰部に負荷が掛かって腰痛を誘発させてしまう。よって、上記特許文献に記載されたアンダーウェア及び姿勢矯正衣料を着用すると、外見上姿勢が矯正されたかに見えるものの、返って着用者の疲労や関節症リスクを増大させるという問題があった。
【０００８】
また、強制的に胸部を前方に反らせた場合、無理な胸郭の前方挙上により横隔膜が上方に圧迫されて胸郭の開閉運動及び横隔膜の運動が阻害され、腹式呼吸が困難になるという問題がある（図８参照）。一般的に腹式呼吸は胸式呼吸に比べ、精神安定、ダイエット、腰痛治療等に効果があるとされるが、腹式呼吸を困難とする上記特許文献のアンダーウェア及び姿勢矯正衣料では、上記効果を期待することはできなかった。
【０００９】
さらに、円背の主原因である背中の抗重力筋の弱体化に対する根本的な解決とはなっていなかった。
【００１０】
そこで、肩甲骨からの適正な骨格の機能的連鎖運動を促して無理なく円背を改善するには、背中の抗重力筋の筋活動を促し、肩甲骨を下制誘導することが肝要となる。すなわち、該抗重力筋が筋活動を行うと、肩甲骨が内回転せずに下方へとスライドするのに連動して、肩峰が後下方の適正位置へと無理なく誘導され、また、鎖骨の若干の後方移動と後方回旋により胸骨及び肋骨が挙上して無理なく胸郭が拡張されるとともに、同時に胸椎の伸展が促される。この骨格の連動運動の結果、上腕骨頭及び肩甲骨の肩関節及び腰部に負荷を掛けることなく、また、横隔膜を上方へと圧迫することなく姿勢を改善することができる。本願発明は、背中の抗重力筋の筋活動を促し、肩甲骨からの適正な骨格連鎖運動を通じて、着用者の身体に負担を掛けることなく円背を改善する姿勢改善衣類を提供することを課題とする。
【課題を解決するための手段】
【００１１】
上記課題を解決するために、本発明は次のように構成した。すなわち、本発明に係る姿勢改善衣類は、衣類本体よりも伸縮力の強い難伸縮性領域を後身頃に設けた姿勢改善衣類であって、着用時、該難伸縮性領域が、菱形筋の下部近傍に対応する部位に編成されて内斜め下方への張力を有する領域と、僧帽筋の下部繊維及び下後鋸筋近傍に対応する部位に配置されて下方への張力を有する領域とから編成されてなることを特徴としている。
【００１２】
また、衣類本体よりも伸縮力の強い難伸縮性領域を後身頃に設けた姿勢改善衣類であって、該難伸縮性領域には、着用時、菱形筋の下部近傍に対応する部位に編成される領域と、僧帽筋の下部繊維及び下後鋸筋近傍に対応する部位に編成される領域とが一体的に編成され、前記菱形筋の下部近傍に対応する部位に編成される領域は、水平面方向に並列した２つの三角形が衣類本体の縦中央軸に対して下辺の頂点のみを接する左右対称形状に編成され、夫々が内斜め下方への張力を有し、前記僧帽筋の下部繊維及び下後鋸筋近傍に対応する部位に編成される領域は、前記両三角形の下端に接し、該下端から後身頃下部までの高さを有する逆台形状或いは逆三角形状に編成され、下方への張力を有することを特徴としている。
【発明の効果】
【００１３】
本願発明に係る姿勢改善衣類を着用すれば、肩峰の強制的な後方誘導に伴う肩甲骨の内回転を原因とする肩痛、胸部を強制的に前方へ反らせることを原因とする腰痛、また腹式呼吸の阻害等、着用者の身体に負担を掛けずに無理なく円背を改善することができる。
【発明を実施するための最良の形態】
【００１４】
以下、本発明の姿勢改善衣類を実現するための最良の形態を、実施例に基づいて説明する。
【００１５】
本願発明に係る姿勢改善衣類とは、インナーウェア、スポーツウェア、ラッシュガード、所謂ミニＴシャツ等、着用者の身体に密着する様々な衣類の他に、競泳用水着やウェットスーツ等の着用者の身体に密着する着用物を含むものである。以下、第一乃至第三の実施例として、スポーツウェアを使用して具体的に説明する。
【００１６】
まず、第一の実施例に係る姿勢改善衣類１について説明する。図１は、本発明に係る姿勢改善衣類１の後身頃を示す図であり、姿勢改善衣類１は、衣類本体２、難伸縮性領域のうち、菱形筋１１の下部近傍に対応する部位に編成されて内斜め下方への張力を有する領域３（以下、第一難伸縮性領域３）及び僧帽筋１２の下部繊維及び下後鋸筋１３近傍に対応する部位に配置されて下方への張力を有する領域４（以下、第二難伸縮性領域４）から構成される。なお、第一難伸縮性領域３及び第二難伸縮性領域４は、各領域の筋肉に対する作用の都合上分けて説明するが、実際には一体的に編成され、且つ両者一体として作用する。
【００１７】
衣類本体２は、通常市販されているスポーツウェア等と同様に伸縮性を有するストレッチ生地素材で編成され、第一難伸縮性領域３及び第二難伸縮性領域４は、衣類本体２よりも難伸縮性のストレッチ生地素材で編成される。第一難伸縮性領域３は、後身頃の中央近傍に下辺の頂点のみが縦中央軸で接する左右対称の２つの直角三角形で編成され、また、第二難伸縮性領域４は、該２つの直角三角形の下辺に接し、該下辺から後身頃下部までの高さを有する逆台形状にて編成される。なお、第二難伸縮性領域４は、逆三角形状に編成しても良い。第一難伸縮性領域３及び第二難伸縮性領域４は、図１に示す破線を除いた一体的な難伸縮性領域として編成される。また、夫々所望の伸縮力が得られるのであれば、使用する素材の別によっても良く、編み方の別によっても良く、また、衣類本体２よりも難伸縮性の生地素材を衣類本体２に貼付或いは熱プリントしても良い。
【００１８】
このように主として後身頃の中部及び下部に難伸縮性領域が編成され、着用者に密着する衣類を着用すると、第一難伸縮性領域３及び第二難伸縮性領域４が下方へと引っ張られるので、該難伸縮性領域から矢印Ａ方向の下方への張力が生じる。
【００１９】
図２は、上記姿勢改善衣類１を着用した際の、第一難伸縮性領域３及び第二難伸縮性領域４の編成位置と筋肉との対応を示す図である。図２（ａ）に示す通り、第一難伸縮性領域３は、菱形筋１１の下部近傍を覆う位置に編成されている。菱形筋１１は、第６頚椎乃至第４胸椎から肩甲骨２１の内側縁まで外下方に斜走して肩甲骨２１を内斜め上方へとスライドさせる筋活動を行うが、菱形筋１１の下部に対応する部位に編成された第一難伸縮性領域３は、衣類本体２の縦中央軸方向に上下辺が狭まる直角三角形に編成されることにより着用時に内下方への張力を有し、菱形筋１１の内方への筋活動を促して肩甲骨２１に対して内回転させることなく矢印Ｂ方向の内斜め下方への張力を働かせる。
【００２０】
また、図２（ｂ）に示す通り、第二難伸縮性領域４は、僧帽筋１２の下部繊維及び下後鋸筋１３近傍を覆う位置に編成されている。僧帽筋１２の下部繊維は、下方に筋繊維が走って肩甲骨２１を引き下げる筋活動を行い、また下後鋸筋１３は、僧帽筋１２の下部繊維の深層に位置して僧帽筋１２の下部繊維が後方へと反り返るのを抑制する筋活動を行う。逆台形状に編成された第二難伸縮性領域４は、着用時に矢印Ｃ方向の下方への張力を有し、僧帽筋１２の下部繊維の筋活動を促して肩甲骨２１を下制誘導するとともに、下後鋸筋１３の筋活動を促して僧帽筋１２の下部繊維による肩甲骨２１の下制誘導により僧帽筋１２の下部繊維が後方へと反り返るのを抑制させ、僧帽筋１２の下部繊維の筋活動を補助させる。
【００２１】
図２（ｃ）に示す通り、第一難伸縮性領域３及び第二難伸縮性領域４は、同時且つ一体的に各筋活動に作用するため、肩甲骨２１を下制誘導する張力方向は、上記矢印Ｂと矢印Ｃのベクトルの和である矢印Ａ方向となり、菱形筋１１及び僧帽筋１２の下部繊維の筋活動を促して肩甲骨２１を内下方へとスライドさせながら、肩甲骨２１を下制誘導する。よって、肩甲骨２１が内回転することはなく、肩甲骨２１の運動方向は矢印Ｄが示す通りとなる。
【００２２】
上記肩甲骨２１の下制誘導について、以下、図３及び図４を用いて具体的に説明する。図３は、肩甲骨２１の下制誘導を示す背面図であり、図４は、肩甲骨２１の下制誘導後の骨格連鎖運動を示す右側面図である。
【００２３】
まず、図３を用いて、姿勢改善衣類１を着用した際に働く張力と左右の肩甲骨２１の下制誘導について説明する。第一難伸縮性領域３は、肩甲骨２１の内側縁から内下方への張力を働かせることで上記菱形筋１１の内方への筋活動を促し、肩甲骨２１を内斜め下方へとスライドさせる。同時に、第二難伸縮性領域４は、肩甲骨２１の棘下窩下部を覆う位置をも含んで編成されており、下方向への張力によって僧帽筋１２の下部繊維及び下後鋸筋１３の筋活動を促すとともに、左右の肩甲骨２１を下制誘導する。よって、第一難伸縮性領域３及び第二難伸縮性領域４の作用する方向は矢印Ａ方向となり、肩甲骨２１の運動方向は矢印Ｄが示す通りとなる。
【００２４】
次に、図４を用いて、上記肩甲骨２１の下制誘導後の骨格連鎖運動について説明する。姿勢改善衣類１を着用すると、肩甲骨２１の下制誘導に連動して上腕骨頭２２も下後方へと牽引される。この時、肩甲骨２１が水平面方向への内回転を強制されることなく下方向へとスライド誘導されるので、上腕骨頭２２の後方牽引によって肩峰が後方変位することなく、適正位置の下後方へと肩甲骨２１に牽引される。また、肩甲骨２１の下制誘導に連動して鎖骨２３が若干後方へと牽引されながら後方回旋するに伴い、胸部を強制的に前方へ反らせることなく胸骨２４及び肋骨２５を挙上誘導し、その結果、胸郭が拡張され、同時に胸椎２６の伸展が促される。さらに、胸郭が前方挙上しないので、横隔膜及び胸郭が圧迫されずに腹式呼吸が阻害されることもない。
【００２５】
このような姿勢改善衣類１を着用すれば、肩甲骨２１の強制的な内回転を原因とする肩痛、胸部を強制的に前方へ反らせることを原因とする腰痛、また腹式呼吸の阻害等、着用者の身体に負担を掛けずに無理なく円背を改善することができる。
【００２６】
次に、図５を用いて、第二の実施例に係る姿勢改善衣類１について説明する。この姿勢改善衣類１は、上記第一の実施例の姿勢改善衣類１と比べて、第二難伸縮性領域４が左右の肩甲骨２１の下角を結ぶラインよりも下方に編成されてなることを特徴としている。該第二難伸縮性領域４は、肩甲骨２１の下角よりも下の僧帽筋１２の下部繊維の筋活動に作用し、着用時に下方への張力を持って肩甲骨２１を下制誘導する。肩甲骨２１を下制誘導するには、少なくとも第二難伸縮性領域４が肩甲骨２１の下角よりも下の僧帽筋１２の下部繊維に作用すればよい。なお、第一難伸縮性領域３及び第二難伸縮性領域４の下後鋸筋１３に対応する部位の作用は上記第一の実施例に係る姿勢改善衣類１と同様である。また、第一の実施例の第二難伸縮性領域４のように肩甲骨２１の棘下窩下部を覆う位置にまで編成させた方が矢印Ａ方向の下方への張力が強くなる。
【００２７】
次に、図６を用いて、第三の実施例に係る姿勢改善衣類１について説明する。この姿勢改善衣類１は、上記第一の実施例の姿勢改善衣類１の構成に加えて、左右の肩板１４を覆う位置に第三難伸縮性領域５が編成されてなることを特徴としている。肩板１４とは、肩甲下筋、棘上筋、棘下筋及び小円筋からなる筋肉であり、肩関節と上腕骨とを結んで肩甲骨を適正位置に安定させている。なお、肩甲下筋は図示せず。第三難伸縮性領域５は、下辺が第二難伸縮性領域４と接し、第二難伸縮性領域４と同様、着用時に下方への張力を有し、肩甲骨２１及び上腕骨頭２２を併せて下方誘導する。よって、上記第一の実施例に係る姿勢改善衣類１よりも強力に肩甲骨２１を下方誘導することができる。第三の実施例の姿勢改善衣類１においても、第一難伸縮性領域３、第二難伸縮性領域４及び第三難伸縮性領域５は、図６に示す破線を除いた一体的な難伸縮性領域として編成される。なお、第三難伸縮性領域５は、第一難伸縮性領域３及び第二難伸縮性領域４と同じく本体領域２よりも難伸縮性のストレッチ生地素材で編成される。また、該姿勢改善衣類１における第一難伸縮性領域３及び第二難伸縮性領域４の作用は、上記第一の実施例と同様である。
【００２８】
上記各実施例では、第一難伸縮性領域３は、図１等にも示したように、直角三角形で編成されたが、縦中央軸方向に上下辺が狭まり縦中央軸で接する三角形に編成されれば内斜め下方への張力が働くため、第二難伸縮性領域４と接して一体的に編成されていれば、第一難伸縮性領域３の編成は直角三角形に限られるものではない。
【産業上の利用可能性】
【００２９】
上記実施例の姿勢改善衣類１の第一難伸縮性領域３及び第二難伸縮性領域４は、身体に密着するどのような着用物に編成しても、本願発明の効果を奏することができる。
【図面の簡単な説明】
【００３０】
【図１】本発明に係る姿勢改善衣類の背面図である。
【図２】姿勢改善衣類の着用時における筋肉との対応を示す図である。
【図３】第一の実施例における肩甲骨の下制誘導を促す状態を示す図である。
【図４】骨格連鎖運動を示す右骨格側面図である。
【図５】第二の実施例における肩甲骨の下制誘導を促す状態を示す図である。
【図６】第三の実施例における肩甲骨の下制誘導を促す状態を示す図である。
【図７】肩甲骨の内回転時の骨連鎖を示す図である。
【図８】胸郭の前方挙上を示す図である。
【符号の説明】
【００３１】
１    姿勢改善衣類
２    衣類本体
３    第一難伸縮性領域
４    第二難伸縮性領域
５    第三難伸縮性領域
１１  菱形筋
１２  僧帽筋
１３  下後鋸筋
１４  肩板
２１  肩甲骨
２２  上腕骨頭
２３  鎖骨
２４  胸骨
２５  肋骨
２６  胸椎
【図１】
2010042097.tif 000003
【図２】
2010042097.tif 000004
【図３】
2010042097.tif 000005
【図４】
2010042097.tif 000006
【図５】
2010042097.tif 000007
【図６】
2010042097.tif 000008
【図７】
2010042097.tif 000009
【図８】
2010042097.tif 000010